(57)【要約】【課題】開閉自在に対向する一対の挟持部を備えた釣用プライヤーにおいて、ストリップリングを開くための爪部を設けるにあたり、スプリットリングを開けやすいようにするとともに、製造コストの抑制を図る。【解決手段】一方の挟持面部９の先端部に、頂部が他方の挟持面部１０に向けて突出する錐状の爪部１１を突設する一方、他方の挟持面部１０の先端部に、挟持面部９、１０同士を閉じたときに爪部１１が挿入する孔部１２を設けた。【選択図】図４
0003215762.tif 000002
【実用新案登録請求の範囲】
【請求項１】
開閉自在に対向する一対の挟持部を備えてなる釣用プライヤーにおいて、一方の挟持部の先端部に、頂部が他方の挟持部に向けて突出する錐状の爪部を突設する一方、他方の挟持部の先端部に、挟持部同士を閉じたときに前記一方の挟持部に突設の爪部が挿入する孔部を設けたことを特徴とする釣用プライヤー。
【請求項２】
請求項１において、爪部は、該爪部の底面側に延出形成されていて一方の挟持部に穿設した取付孔に嵌入固定される取付軸部を備えて形成されていることを特徴とする釣用プライヤー。
【請求項３】
請求項１または２において、一対の挟持部は、挟持部同士を閉じたときに互いに面接触状態で当接する平板状の挟持面部をそれぞれ備えるとともに、該挟持面部の先端部に前記爪部、孔部が設けられていることを特徴とする釣用プライヤー。
【請求項４】
請求項３において、一対の挟持部の挟持面部同士は同形状に形成されていることを特徴とする釣用プライヤー。
【考案の詳細な説明】
【技術分野】
【０００１】
本考案は、スプリットリングを開く機能を備えた釣用プライヤーに関するものである。
【背景技術】
【０００２】
一般に、釣用プライヤーのなかには、仕掛けやルアーの取付け等に用いるスプリットリングを開くためのリングオープナー機能を備えたものがある。このようなリングオープナー機能を備えた釣用プライヤーは、通常、開閉自在な一対の挟持部のうちの一方の挟持部の先端部に、他方の挟持部に向けて突出する爪部を形成し、該爪部をスプリットリングの巻間に挿入してスプリットリングを押し広げるように構成されているが、この場合に、一方の挟持部の先端を他方の挟持部の先端よりも突出させるとともに、その突出先端に爪部を形成することで、挟持部同士を閉じたときに爪部が他方の挟持部の先端を覆うように構成したものが、従来から知られている（例えば、特許文献１参照）。しかしながらこのものは、爪部が他方の挟持部よりも先端側に突出しているため、爪部をスプリットリングの巻間に挿入するときに、該爪部と他方の挟持部とでスプリットリングの軸方向と挟持部の長手方向とが平行状となるようにスプリットリングを保持することができず、このため、スプリットリングが傾いてしまって開きづらいうえ、スプリットリングをルアーや仕掛け等に取付けにくいという問題がある。
そこで、一方の挟持部の先端部に他方の挟持部に向けて突出する爪部を設ける一方、他方の挟持部の長さを、一方の挟持部よりも長く設定するとともに、該他方の挟持部に、爪部が収まる凹溝を設けた技術が提唱されている（例えば、特許文献２参照）。さらに、一方の挟持部の先端部に、対向する一対の爪部を他方の挟持部に向けて突設する一方、挟持部同士を閉じたときに他方の挟持部が対向する爪部の間に挿入可能とした技術も提唱されている（例えば、特許文献３参照）。これらのものは、爪部をスプリットリングの巻間に挿入するときに、スプリットリングの軸方向と挟持部の長手方向とが平行状となるようにスプリットリングを保持できるため、スプリットリングの押し広げ作業を容易に行えるうえ、該スプリットリングをルアーや仕掛け等に取付けやすいという利点がある。
【先行技術文献】
【特許文献】
【０００３】
【特許文献１】意匠登録第１３２４２５７号公報
【特許文献２】特開１１−１３８４６３号公報
【特許文献３】特開２００２−３３５８３９号公報
【考案の概要】
【考案が解決しようとする課題】
【０００４】
しかしながら、前記特許文献２のものは、他方の挟持部が一方の挟持部よりも先端側に突出しているうえ、該他方の挟持部の先端部に、爪部を収める溝部が挟持部の幅方向に亘る状態で形成されているため、該溝部の部分が強度的に弱くなってしまい、破損しやすいという問題がある。一方、特許文献３のものは、形状が複雑で加工にコストがかかり、製造コストをアップさせる要因になるという問題があり、これらに本考案の解決すべき課題がある。
【課題を解決するための手段】
【０００５】
本考案は、上記の如き実情に鑑みこれらの課題を解決することを目的として創作されたものであって、請求項１の考案は、開閉自在に対向する一対の挟持部を備えてなる釣用プライヤーにおいて、一方の挟持部の先端部に、頂部が他方の挟持部に向けて突出する錐状の爪部を突設する一方、他方の挟持部の先端部に、挟持部同士を閉じたときに前記一方の挟持部に突設の爪部が挿入する孔部を設けたことを特徴とする釣用プライヤーである。
請求項２の考案は、請求項１において、爪部は、該爪部の底面側に延出形成されていて一方の挟持部に穿設した取付孔に嵌入固定される取付軸部を備えて形成されていることを特徴とする釣用プライヤーである。
請求項３の考案は、請求項１または２において、一対の挟持部は、挟持部同士を閉じたときに互いに面接触状態で当接する平板状の挟持面部をそれぞれ備えるとともに、該挟持面部の先端部に前記爪部、孔部が設けられていることを特徴とする釣用プライヤーである。
請求項４の考案は、請求項３において、一対の挟持部の挟持面部同士は同形状に形成されていることを特徴とする釣用プライヤーである。
【考案の効果】
【０００６】
請求項１の考案とすることにより、強度的に弱くなる部分もなく、加工も容易であって、釣用プライヤーの製造コストの抑制に貢献できる。
請求項２の考案とすることにより、爪部の形成が容易で、更なる製造コストの抑制に貢献できる。
請求項３の考案とすることにより、釣用プライヤーの持ち運びや収納時等に、爪部が他の釣用具や工具に当たったり等して損傷してしまうことを防止できる。
請求項４の考案とすることにより、意匠的にも強度的にも優れる。
【図面の簡単な説明】
【０００７】
【図１】挟持部を開いた状態の釣用プライヤーを示す図である。
【図２】挟持部を閉じた状態の釣用プライヤーを示す図である。
【図３】（Ａ）は図１のＸ矢視拡大図、（Ｂ）は図１のＹ矢視拡大図、（Ｃ）は挟持部を閉じた状態の要部断面図、（Ｄ）は第二の実施の形態の爪部を示す要部断面図である。
【図４】（Ａ）、（Ｂ）は釣用プライヤーの使用状態を示す図である。
【考案を実施するための形態】
【０００８】
以下、本考案を実施するための形態について、図面に基づいて説明する。図面において、１は一対の杆体２、３の長手方向中間部を支軸４を介して回動自在に枢支して形成される釣用プライヤーであって、該釣用プライヤー１の先端側には、開閉自在に対向する一対の挟持部５、６が設けられ、後端側には、これら挟持部５、６を開閉させるべく操作される一対のハンドル部７、８が設けられている。
【０００９】
前記一対の挟持部５、６は、挟持部５、６同士を閉じたときに互いに面接触状態で当接する平板状の挟持面部９、１０を備えて構成されている。これら挟持面部９、１０は、同形状をしていて挟持部５、６同士を閉じたときに互いにはみ出さない状態でぴったりと重なり合うとともに、杆体２、３にそれぞれネジ９ａ、１０ａを介して着脱自在に取付けられていて、長期間の使用等により挟持面部９、１０が損傷したような場合には、該挟持面部９、１０を杆体２、３から取り外して交換することができるようになっている。
【００１０】
前記一対の挟持部５、６に設けられる挟持面部９、１０のうち一方の挟持面部９の先端部には、頂部が他方の挟持面部１０に向けて突出する円錐状の爪部１１が突設されている。該爪部１１の底面側には、爪部１１を一方の挟持面部９に取り付けるための取付軸部１１ａが一体的に延出形成されており、該取付軸部１１ａを、一方の挟持面部９の先端部に穿設された取付孔９ｂに嵌入して固定（例えばカシメ固定や圧入固定）することで、一方の挟持面部９に爪部１１が突設されるようになっている。
【００１１】
一方、他方の挟持面部１０の先端部には、挟持部５、６同士を閉じたときに前記一方の挟持面部９の先端部に突設の爪部１１が挿入する孔部１２が穿設されている。該孔部１２は、円錐状の爪部１１の形状に対応して、爪部１１が孔部１２に挿入した状態で爪部１１の底面側が大経となり頂部側が小径となる円錐台形状に形成されていて、爪部１１はその外周面が孔部１２の内周面に対して僅かな隙間を存する状態で孔部１２に挿入されるようになっている。尚、本実施の形態では、爪部１１の高さは他方の挟持面部１０の厚みよりも少し高く設定されていて、挟持面部９、１０同士を当接させた状態で爪部１１の頂部が孔部１２から僅かに突出するようになっているが、爪部１１の底面の径や高さは適宜設定できる。
【００１２】
前記一方の挟持面部９に突設された爪部１１は、スプリットリング１３を開くときに用いるものであって、該爪部１１を用いてスプリットリング１３を開く場合には、図４（Ａ）に示す如く、まず、爪部１１の頂部をスプリットリング１３の巻間に軽く当てた状態で、該爪部１１と他方の挟持面部１０の先端部との間にスプリットリング１３を挟む。このとき、爪部１１が挿入する孔部１２が穿設された他方の挟持面部１０の先端は爪部１１の頂部よりも先端側に位置しているため、スプリットリング１３は、その軸方向が他方の挟持面部１０の長手方向に対して平行状で、且つ爪部１１の挿入方向に対して垂直状となる状態で、爪部１１と他方の挟持面部１０の先端部との間に挟持される。この状態から挟持部５、６を閉じると、図４（Ｂ）に示す如く、円錐状の爪部１１がスプリットリング１３の巻間に押し込まれて、スプリットリング１３を押し広げることができるが、前述したようにスプリットリング１３は、その軸方向が挟持面部９、１０の長手方向に対して略平行状で、且つ爪部１１の挿入方向に対して垂直状となる状態で挟持されているため、スプリットリング１３の押し広げ作業を容易に行うことができるとともに、該スプリットリング１３をルアーや仕掛け等に取付けやすいことになる。
【００１３】
尚、図中、１４、１５は挟持部５、６に設けられるカッターであって、釣糸の切断等に用いられるが、該カッター１４、１５も前記挟持面部９、１０と同様に、それぞれネジ１４ａ、１５ａを介して杆体２、３に着脱自在に取付けられていて、長期間の使用等により損傷したような場合には、カッター１４、１５を杆体２、３から取り外して交換することができるようになっている。
【００１４】
叙述の如く構成された本実施の形態において、釣用プライヤー１には、開閉自在に対向する一対の挟持部５、６が備えられているが、これら挟持部５、６のうち一方の挟持部５の先端部（本実施の形態では、一方の挟持部５を構成する挟持面部９の先端部）には、頂部が他方の挟持部６に向けて突出する円錐状の爪部１１が突設される一方、他方の挟持部６の先端部（本実施の形態では、他方の挟持部６を構成する挟持面部１０の先端部）には、挟持部５、６同士を閉じたときに上記爪部１１が挿入する孔部１２が設けられている。
【００１５】
この様に、本考案が実施されたものにおいては、一方の挟持面部９の先端部に円錐状の爪部１１が形成され、他方の挟持面部１０の先端部には該爪部１１が挿入される孔部１２が設けられているため、前述したように、スプリットリング１３を開く場合に、爪部１１の頂部と他方の挟持面部９の先端部とで、スプリットリング１３の軸方向が他方の挟持面部１０の長手方向に対して平行状で、且つ爪部１１の挿入方向に対して垂直状となるようにスプリットリング１３を挟持できることになって、スプリットリング１３の押し広げ作業を容易に行うことができるとともに、スプリットリング１３をルアーや仕掛け等に取付けやすいことになる。
【００１６】
しかもこのものは、一方の挟持面部９に円錐状の爪部１１を、他方の挟持面部１０に孔部１２を設けただけの簡単な構造であって、強度的に弱くなる部分もなく、加工も容易であって、製造コストの抑制に貢献できる。
【００１７】
そのうえ前記爪部１１は、一方の挟持面部９に穿設した取付孔９ｂに嵌入固定される取付軸部１１ａが底面側に延出形成されていて、該取付軸部１１ａを上記取付孔９ｂに嵌入固定するだけで一方の挟持面部９に爪部１１を突設できることになるから、爪部１１の形成が容易で、更なる製造コストの抑制に貢献できる。
【００１８】
さらに、本実施の形態では、一対の挟持部５，６は、これら挟持部５，６同士を閉じたときに互いに面接触状態で当接する平板状の挟持面部９、１０をそれぞれ備えるとともに、該挟持面部９、１０の先端部に前記爪部１１、孔部１２が設けられているから、挟持面部９、１０同士が面接触状態で閉じたときに爪部１１は孔部１２内に挿入して外部から保護された状態となり、而して、釣用プライヤー１の持ち運びや収納時等に、爪部１１が他の釣用具や工具に当たったり等して損傷してしまうことを有効に防止できる。
【００１９】
しかも、これら前記一対の挟持部５、６の挟持面部９、１０同士は同形状に形成されているから、挟持部５、６同士を閉じたときに挟持面部９、１０同士がぴったりと重なり合うことになって、意匠的にも強度的にも優れる。
【００２０】
尚、本考案は上記実施の形態に限定されないことは勿論であって、上記実施の形態では、爪部は円錐状に形成されているが、四角錐等の角錐状のものであっても良く、また、図３（Ｄ）に示す第二の実施の形態の爪部１６の如く、錘状の爪部１６の基端側に円柱状（または角柱状）部分１６ａを設けたものであっても良い。尚、図３（Ｄ）において、１６ｂは爪部１６に設けられた取付軸部、９は一方の挟持面部，９ｂは一方の挟持面部９に穿設された取付孔、１０は他方の挟持面部、１７は他方の挟持面部に設けられた孔部である。
【符号の説明】
【００２１】
１  釣用プライヤー
５，６  挟持部
９、１０  挟持面部
９ａ  取付孔
１１  爪部
１１ａ  取付軸部
１２  孔部
１３  スプリットリング
【図１】
0003215762.tif 000003
【図２】
0003215762.tif 000004
【図３】
0003215762.tif 000005
【図４】
0003215762.tif 000006